(57)【要約】      （修正有）【課題】落下供給される媒体内の磁性異物を完全に磁着除去する隙間なし異物除去装置を提供する。【解決手段】装置のチャンバ２内に配置される多数本の涙型又はしずく型のバーマグネットは傾斜し、かつ媒体４の落下方向から見て隙間なく配置される。これにより磁性異物３の完全除去が行われる。該バーマグネットは媒体の落下方向に対して傾斜して配置され、該バーマグネットが、傾斜方向を互いに同じ向き又は逆向きで配置される。【選択図】図１
0003142035.tif 000002
【実用新案登録請求の範囲】
【請求項１】
落下供給される媒体内の磁性異物を磁着除去する異物除去装置であって、該装置は、上下を開口する筒型のチャンバと該チャンバ内に配置される多数本のバーマグネットとからなり、前記バーマグネットは、上方側に配置されるバーマグネットとその下方に配置されるバーマグネットが前記媒体の落下方向から見て隙間なく配置されるものからなることを特徴とする隙間なし異物除去装置。
【請求項２】
前記バーマグネットが涙型又はしずく型のものからなり、前記バーマグネットは前記媒体の落下方向に対して傾斜して配置されることを特徴とする請求項１に記載の隙間なし異物除去装置。
【請求項３】
前記バーマグネットが、傾斜方向を互いに同じ向き又は逆向きで配置されることを特徴とする請求項２に記載の隙間なし異物除去装置。
【考案の詳細な説明】
【技術分野】
【０００１】
本考案は、落下供給される媒体に含まれる磁性異物を磁着除去する異物除去装置に係り、特に、装置内に配置される上下の多数本のバーマグネットが前記媒体の落下方向から見て隙間なく配置されるものからなる隙間なし異物除去装置に関する。
【背景技術】
【０００２】
落下供給される媒体には磁性異物を含むものが多く、この状態で次工程側に前記媒体が送られることを除去するために異物除去装置が従来より採用されている。この異物除去装置はその内部バーマグネットを多数本配置するものからなり、例えば、「特許文献１」に示すものが一例として挙げられる。
【特許文献１】特開２００３−２１１０２２号（図１）
【考案の開示】
【考案が解決しようとする課題】
【０００３】
「特許文献１」の「特開２００３−２１１０２２号」の「磁性体異物除去方法及び装置」はチャンバ（１）内に多数本のバーマグネット（８）を配置したものである。このバーマグネット（８）は媒体の落下供給方向に対して縦方向（同一方向）及び横方向に配置されているものからなり、これ等のバーマグネット（８）は媒体の落下方向から見ると隙間がある状態で配置されている。
【０００４】
以上の構造の「磁性体異物除去装置」の場合には落下供給される媒体がバーマグネット（８）間の前記隙間を通って送られ、バーマグネットに磁着しないものも生ずる。その結果、磁性異物の完全除去ができない問題点がある。
【０００５】
本考案は、以上の問題点を解決すべく考案されたものであり、落下供給される媒体が必ずバーマグネットに接して磁性異物の完全除去が行われる隙間なし異物除去装置を提供することを目的とする。
【課題を解決するための手段】
【０００６】
本考案は、以上の目的を達成するために、請求項１の考案は、落下供給される媒体内の磁性異物を磁着除去する異物除去装置であって、該装置は、上下を開口する筒型のチャンバと該チャンバ内に配置される多数本のバーマグネットとからなり、前記バーマグネットは、上方側に配置されるバーマグネットとその下方に配置されるバーマグネットが前記媒体の落下方向から見て隙間なく配置されるものからなることを特徴とする。
【０００７】
また、請求項２の考案は、前記バーマグネットが涙型又はしずく型のものからなり、前記バーマグネットは前記媒体の落下方向に対して傾斜して配置されることを特徴とする。
【０００８】
また、請求項３の考案は、前記バーマグネットが、傾斜方向を互いに同じ向き又は逆向きで配置されることを特徴とする。
【考案の効果】
【０００９】
本考案の請求項１の隙間なし異物除去装置によれば、装置内に配置されるバーマグネットが隙間なく配置されているため、落下供給される媒体はすべてバーマグネットに接触し、媒体内に含まれている磁性異物が完全に磁着除去される。
【００１０】
また、本考案の請求項２の隙間なし異物除去装置によれば、バーマグネットが涙型又はしずく型のものからなり、かつ傾斜して配置されるため磁性異物はバーマグネットに堆積することなく送られ、結果として磁性異物の完全除去が行われる。
【００１１】
また、本考案の請求項３の隙間なし異物除去装置によれば、涙型又はしずく型のバーマグネットの傾斜方向は逆方向に配置されるものからなり、傾斜方向が相異しても同一の磁性異物の除去が行われる。また、傾斜方向を同一又は逆方向とする選択は装置の全体構造に対応して行われ、装置構造の配置の自由度の向上が図られる。
【考案を実施するための最良の形態】
【００１２】
以下、本考案の隙間なし異物除去装置の実施の形態を図面を参照して詳述する。
【実施例１】
【００１３】
図１は隙間なし異物除去装置の概要全体構造を示す模式的縦断面図である。
図示のように隙間なし異物除去装置１００は、上下に開口部５，６を形成するチャンバ２と、チャンバ２内に配置されるバーマグネット１からなる。
【００１４】
本実施例ではバーマグネット１として涙型又はしずく型のものを採用しているが、バーマグネット１は隙間なく配置されるものであれば他の形状のものでもよい。しかしながら、磁性異物を堆積なく磁着除去するにはこの涙型又はしずく型のバーマグネット１が望ましい。
【００１５】
図１に示すように、バーマグネット１は媒体４の落下方向（図２（ａ）のＸ方向）に対して傾斜して配置される。
図２（ａ）は図１におけるバーマグネット１の配置構造を明確に示すものであり、バーマグネット１は上方側のバーマグネット１の頂部１ａからのＸ方向に沿うライン下部のバーマグネット１のベース部１ｂが接するように配置される。
従って、図２（ａ）を媒体４の落下方向（Ｘ方向）に沿って上部から見ると（Ａ矢視）、図２（ｂ）に示すようにバーマグネット１，１，１は隙間なく配置されている。
以上の構造により、上方の開口部５から落下供給される媒体４はすべてバーマグネット１に接触し媒体４内に含まれている磁性異物３はすべてバーマグネット１に磁着して除去される。また、前記のようにバーマグネット１は涙型又はしずく型のものからなり媒体４や磁性異物３のバーマグネット１の頂部１ａにおける堆積が生じない。以上により、磁性異物３を除去された媒体４が下方の開口部６から次工程側に送られることになる。
【実施例２】
【００１６】
実施例１では涙型又はしずく型のバーマグネット１は同一方向に傾斜して配置されていたが、「実施例２」では図３に示すようにバーマグネツト１は傾斜方向が相異して配置される。即ち、上方側のバーマグネット１の頂部１ａからのＸ方向のライン上には１つ下方のバーマグネットの頂部１ａが接触する状態で配置され、更にその下部のバーマグネット１も頂部１ａが接する状態で配置される。以上の構造により、図２（ａ）のＡ矢視方向からバーマグネット１，１，１を見ると図２（ｂ）とほぼ同様に隙間なくバーマグネット１，１，１が配置される。以上により、実施例１に説明したとほぼ同一の磁性異物３の磁着除去を行うことができる。
【００１７】
以上の説明において、傾斜をバーマグネット１のすべてのものに対して同一のものとしたが、傾斜は同一のものでなくてもよい。また、装置の構造やバーマグネットの構造も前記の説明の内容に限定するものではない。同一技術的範疇のものが採用されることも勿論である。
【産業上の利用可能性】
【００１８】
本考案は、各種形態の異物除去装置にすべて適用可能であり、その利用範囲は広い。
【図面の簡単な説明】
【００１９】
【図１】本考案の隙間なし異物除去装置の概要全体構造を示す模式的縦断面図。
【図２】本考案の隙間なし異物除去装置におけるバーマグネットの配置の１つの実施例を示す断面図（ａ）及び図２（ａ）のＡ矢視図（ｂ）。
【図３】本考案の隙間なし異物除去装置におけるバーマグネットの配置の他の実施例を示す断面図。
【符号の説明】
【００２０】
１      バーマグネット
１ａ    頂部
１ｂ    ベース部
２      チャンバ
３      磁性異物
４      媒体
５      開口部
６      開口部
１００  隙間なし異物除去装置
【図１】
0003142035.tif 000003
【図２】
0003142035.tif 000004
【図３】
0003142035.tif 000005